(57)【要約】【課題】各種イベントにおいて心のこもった音声メッセージを簡単かつ確実に送ることができるメールシステムを提供することにある。【解決手段】このメールシステムは、贈り手側の携帯電話装置（２）がインターネットを介して送信したメッセージをシステムサーバであるメールサーバ（１１）やポータルサーバ（１２）が受信して保存すると共に、メッセージをホテル内サーバ（１４）の要求に応じて配信するメールシステムにおいて、メッセージを配信するための決済を行う決済サーバ（１３）と、決済が完了したか否かを示す決済情報を記憶するポータルサーバ（１２）内のメモリとを具備し、システムサーバは、主催者側サーバからメッセージの配信要求を受け取った場合、メッセージの中から決済情報が決済完了のメッセージを選択して主催者側サーバに配信する。【選択図】図４
2007334546.tif 000002
【特許請求の範囲】
【請求項１】
贈り手側の情報端末装置がネットワークを介して送信したメッセージをシステムサーバが受信して保存すると共に、保存した前記メッセージを主催者側サーバの要求に応じて配信するメールシステムにおいて、
前記メッセージを配信するための決済を行う決済サーバと、
前記決済が完了したか否かを示す決済情報を記憶する決済情報記憶手段とを具備し、
前記システムサーバは、前記主催者側サーバから前記メッセージの配信要求を受け取った場合、前記メッセージの中から前記決済情報が決済完了のメッセージを選択して前記主催者側サーバに配信すること、
を特徴とするメールシステム。
【請求項２】
贈り手側の情報端末装置がネットワークを介して送信したメッセージをシステムサーバが受信して保存すると共に、保存した前記メッセージを主催者側サーバの要求に応じて配信するメールシステムで使用するメール配信方法において、
前記メッセージを配信するための決済を行う決済ステップと、
前記決済が完了したか否かを示す決済情報を決済情報記憶手段に記憶する決済情報記憶ステップと、
前記システムサーバが前記メッセージを前記主催者側サーバに配信する配信ステップとを含み、
前記配信ステップは、前記主催者側サーバから前記メッセージの配信要求を受け取った場合、前記メッセージの中から前記決済情報が決済完了のメッセージを選択して前記主催者側サーバに配信すること、
を特徴とするメール配信方法。
【発明の詳細な説明】
【技術分野】
【０００１】
本発明は、メールシステム及びメール配信方法に係り、更に詳しくは、贈り手側の情報端末装置がネットワークを介して送信したメッセージをシステムサーバが受信して保存すると共に、保存した前記メッセージを主催者側サーバの要求に応じて配信するメールシステム及びメール配信方法に関する。
【０００２】
また、本発明は上記の方法（ステップ又は手順）を半導体メモリー、ＬＤ（レーザーディスク）、ＨＤ（ハードディスク）、ＦＤ（フレキシブルディスク）、ＭＤ（ミニディスク）、ＣＤ（コンパクトディスク）又はＤＶＤ（デジタルバーサタイルディスク又はデジタルビデオディスク）などの情報記憶媒体に記録したプログラムそのものにも関係している。
【背景技術】
【０００３】
結婚式や祝賀パーティなどのイベントにおいて、お祝い電報（祝電）が利用されることが多いが、それら電報を司会者が読み上げ、しかも定型の言葉が多いため、電報の贈り手の気持ちが相手方に伝わりにくかった。
【０００４】
従来、このようなイベントにおける電報に関するシステムとして、携帯電話の情報配信網を利用して、その場所や日時等の様々な情報をユーザが必要に応じて得ることができるものが知られている（特許文献１参照）。具体的には、携帯電話情報配信網と、慶弔データベースと、慶弔情報提供網と、電報センターとで構成され、慶弔情報提供網から慶弔情報を提供するようにし、慶弔情報を慶弔情報データベースへ蓄積したあと、携帯電話の情報配信網のユーザが慶弔情報データベースから慶弔情報を取り出すものである。
【発明の開示】
【発明が解決しようとする課題】
【０００５】
しかしながら、上述のシステムは、単にイベントの場所や日時などの情報をデータベース化するものであり、お祝い等のメッセージを相手方に贈るためには、依然として電報を利用しなければならなかった。
【０００６】
本発明は、上記の問題点を解決する為になされたものであり、各種イベントにおいて心のこもった音声メッセージを簡単かつ確実に贈ることができるメールシステム等の提供を課題とする。
【０００７】
また、本願出願人は、既に特願２００４−３４３３４１（先出願）を出願しているが、音声メッセージのみならず、画像情報を含めて配信することが可能なメールシステム等の提供を課題としている。ただし、前記先出願は本願出願日において公開はされておらず、出願人同一であるため本願の先行技術（先願）とはなりえない。
【０００８】
なお、本願発明に比較的近いと思われる第２従来技術（特許文献２）としては、「専ら家庭や職場で使用されるものではなく、公共的な用途で用いられることに適するビデオメールシステム および方法を提供する。」ことを課題とし、「ビデオメールシステムは、公共の用途に適したハウジング内に統合され、インターフェースを介して通信ネットワークに接続されたコンピュータシステムを有している。このコンピュータシステムは、１または複数のエンコーダモジュール、ビデオカードまたはサウンドカード、ビデオカメラおよびマイクロフォンを備えている。ビデオメールシステムは、１または複数のハードディスク、グラフィックカード、コンピュータモニタ、キーボードを備えている。このビデオメールシステムは、オペレーティングシステム、電子メールプログラム、さらに、利用者に通信を提供するコントロールモジュールおよびビデオ記録を制御するバッチモジュールを含むビデオメールユーザプログラムのそれぞれを実行する。」という公共用ビデオメールシステムおよび方法が出願公開されている。
【０００９】
第３従来技術（特許文献３）としては、「既存のネットワークを活かしつつ、マルチメディアデータ伝送時のトラヒックを軽減し、メールの緊急性にも対応したビデオメールのデータ転送方式を提供する。」ことを課題とし、「送信端末１に、送信部１０、分割送信部２０を設ける。サーバ端末２に、メールボックス５０、送受信管理部３０、分割受信部４０、分割送信部２０を設ける。受信端末３に、受信・再生部６０、分割受信部４０を設ける。送信部１０（あるいは、送受信管理部３０）から送受信管理部３０（あるいは、受信・再生部６０）へのビデオメール送信は、ビデオメールに含まれるデータのうち、音声と、動画の代表フレーム（静止画）とを先ず通常方式で送る。ビデオメール中のビデオデータは、その後、分割送信処理部２０から分割受信処理部４０へ複数回に分けて送信する。」というデータ転送方法、データ送信装置、データ受信装置およびビデオメールシステムが出願公開されている。
【特許文献１】特開２００３−１７８１４６
【特許文献２】特開２００１−１５４９７１
【特許文献３】特開平８−１２５６８７
【課題を解決するための手段】
【００１０】
請求項１に係る本発明のメールシステムは、上記の目的を達成するために、贈り手側の情報端末装置がネットワークを介して送信したメッセージをシステムサーバが受信して保存すると共に、保存した前記メッセージを主催者側サーバの要求に応じて配信するメールシステムにおいて、前記メッセージを配信するための決済を行う決済サーバと、前記決済が完了したか否かを示す決済情報を記憶する決済情報記憶手段とを具備し、前記システムサーバは、前記主催者側サーバから前記メッセージの配信要求を受け取った場合、前記メッセージの中から前記決済情報が決済完了のメッセージを選択して前記主催者側サーバに配信することを特徴とする。
【００１１】
請求項２に係る本発明のメール配信方法は、贈り手側の情報端末装置がネットワークを介して送信したメッセージをシステムサーバが受信して保存すると共に、保存した前記メッセージを主催者側サーバの要求に応じて配信するメールシステムで使用するメール配信方法において、前記メッセージを配信するための決済を行う決済ステップと、前記決済が完了したか否かを示す決済情報を決済情報記憶手段に記憶する決済情報記憶ステップと、前記システムサーバが前記メッセージを前記主催者側サーバに配信する配信ステップとを含み、前記配信ステップは、前記主催者側サーバから前記メッセージの配信要求を受け取った場合、前記メッセージの中から前記決済情報が決済完了のメッセージを選択して前記主催者側サーバに配信することを特徴とする。
【発明の効果】
【００１２】
本発明のメールシステムによれば、結婚式や祝賀パーティなどの各種イベント会場において心のこもった画像と音声からなるメッセージを簡単かつ確実に贈ることができる。このため、単なる司会者の読み上げや定型的な言葉ではなく、贈り手の気持ちがこもったメッセージを相手方に伝えることが可能となる。特に、同じ結婚式やパーティのメッセージを集めて、それを一枚のＣＤ−ＲＯＭにプレスし、記念品使用の包装を行った上で会場に届けるものとすれば、贈られたＣＤ−ＲＯＭは贈られた者の一生の記念となるので、当システムの経済的効果はより一層向上する。
【００１３】
また、前記メッセージは事前に決済されているので、メールシステムの運営者は自動的に課金することが可能となる。
【００１４】
本発明のメール配信方法によれば、本発明のメールシステムと同様の効果を発揮することができる。
【発明を実施するための最良の形態】
【００１５】
以下、本発明の実施の形態を図面と共に詳細に説明する。
【００１６】
第一実施例：
図１は、本実施形態にかかるメールシステムの構成概略図である。
【００１７】
図１において、（１）は音声メッセージの贈り手が操作するパーソナルコンピュータ（以下、パソコン）、（２）（２）は音声メッセージの贈り手が操作する携帯電話装置、（３）は本システムに係るサイトを提供するサーバコンピュータ（以下、サイト提供サーバという）、（４）は音声情報等を格納するサーバコンピュータ（以下、データベースサーバという）であり、前記パソコン（１）および携帯電話装置（２）と、サイト提供サーバ（３）と、データベースサーバ（４）とがインターネットを介して通信可能な状態で接続されている。
【００１８】
前記パソコン（１）は、いわゆる通常の汎用コンピュータであり、キーボードやマウスなどの入力装置、画面を表示するディスプレイ、ＣＰＵ・メモリ・ハードディスク等が格納されているパソコン本体から構成される。また、前記携帯電話装置（２）は、インターネットに接続可能なものであり、表示部、番号入力部、スピード部、音声入力部などから構成される。
【００１９】
前記パソコン（１）および携帯電話装置（２）は、いずれも前記サイト提供サーバ（３）にアクセスすると、インターネットを介して送信されてきた各種画像を表示し、贈り手により入力された音声情報をインターネットを介して前記データベースサーバ（４）に送信することができるようになっている。例えば、パソコン（１）および携帯電話装置（２）が前記サイト提供サーバ（３）にアクセスすると、本システムに関する所定の画面が表示される。そして、贈り手が、前記パソコン（１）または携帯電話装置（２）においてイベント会場、イベント日時、相手方（主賓等）の氏名、本人の氏名を所定の案内画面に沿ってイベント情報として入力するとともに、音声メッセージを音声情報として入力すると、音声情報がインターネットを介して前記データベースサーバ（４）に送信される。
【００２０】
なお、イベント情報の入力にあたっては、イベント会場、イベント日時、相手方の氏名を贈り手側で入力するものとしてもよいし、あるいはイベント会場側のパソコン等の情報端末（６）によりあらかじめイベント会場、イベント日時、相手方の氏名が前記サイト提共サーバ（３）に格納されており、贈り手がそれらを選択していくものとしてもよい。また、音声メッセージの入力に際しては、ＢＧＭや効果音を背景に付けるように選択できるものとしてもよい。さらに、パソコン（１）や携帯電話装置（２）に取り込んだ画像情報を音声情報に添付してデータベースサーバ（３）に送信するものとしてもよい。
【００２１】
前記データベースサーバ（４）は、図２に示すように、前記パソコン（１）や携帯電話装置（２）に入力された音声情報をインターネットを介して受信する音声情報受信部として機能する通信部（４１）と、該通信部（４１）により受信された音声情報を格納する音声情報格納部（４２）と、該音声情報格納部（４２）に格納されている音声情報をＣＤ−ＲＯＭ等の情報記録媒体（５）に記録する音声情報記録部（４３）と、各部を統括的に制御する制御部（４４）とを備えている。このデータベースサーバ（４）では、通信部（４１）により音声情報が受信され、音声情報格納部（４２）に音声情報が格納されたあと、適宜にＣＤ−ＲＯＭ等の情報記録媒体（５）に記録される。
【００２２】
なお、制御部（４４）は中央演算処理装置（ＣＰＵ）からなり、ＲＯＭ（Read Only Memory）やハードディスクに格納されたプログラムを実行する。また、情報格納媒体は、例えば、光磁気ディスク、デジタルビデオディスク、コンパクトディスク、フロッピー（登録商標）ディスクなどがある。
【００２３】
次に本システムの動作について図３のフローチャートを用いて説明する。なお、以下の説明および図面では「ステップ」を「Ｓ」と略記することとする。
【００２４】
まず、パソコン（１）等が前記サイト提供サーバ（３）にアクセスすると（Ｓ１）、前記サイト提供サーバ（３）がインターネットを介して本システムに係る各種画面を表示させる。（Ｓ２）。
【００２５】
そして、パソコン（１）等において、贈り手がイベント会場、イベント日時、相手方（主賓等）の氏名、本人の氏名を所定の案内画面に沿ってイベント情報として入力するともにネットを介して前記データベースサーバ（４）に送信される（Ｓ５）。
【００２６】
前記データベースサーバ（４）では、通信部（４１）により音声情報が受信されたあと（Ｓ６）、音声情報格納部（４２）に音声情報が格納される（Ｓ７）。音声情報格納部（４２）に格納された音声情報は、適宜にＣＤ−ＲＯＭ等の情報記録媒体（５）に記録される（Ｓ８）。あとは、その音声メッセージ入りの情報記録媒体（５）が宅配便や郵便等によりイベント会場に送られて、相手方に届けられることになる。
【００２７】
本システムによれば、結婚式や祝賀パーティなどの各種イベント会場において心のこもった音声メッセージを簡単かつ確実に贈ることができる。このため、単なる司会者の読み上げや定型的な言葉でなく、贈り手の気持ちがこもったメッセージを相手方に伝えることが可能となる。特に同じ結婚式やパーティのメッセージを集めて、それを一枚のＣＤ−ＲＯＭにプレスし、記念品仕様の包装を行った上で会場に届けるものとすれば、贈られたＣＤ−ＲＯＭは贈られた物の一生の記念となるので、当システムの経済的効果はより一層向上する。
【００２８】
なお、この実施形態では、サイトを提供するサイト提供サーバ（３）と、音声情報をデ―タベース化する前記データベースサーバ（４）とを別々に構成するものとしたが、同一のサーバで構成するものとしてもよい。ただ、通常は前記サイト提供サーバ（３）は携帯電話会社等のサーバが利用され、前記データベースサーバ（４）は事業会社等のサーバが利用されることが多い。
【００２９】
また、前記音声情報格納部（４２）は、音声情報の格納方法が限定されるものでないが、音声情報を同一会場、同一日時、あるいは同一相手によって一つのファイルとしてデータベース化した状態で格納するのが好ましい。
【００３０】
また、イベント会場名、イベント日時、あるいは相手方氏名等のイベント情報をＣＤ−ＲＯＭ等の情報記録媒体に印刷する印刷手段が本システムに設けられているのが好ましい。
【００３１】
また、前記データベースサーバ（４）に格納された音声情報は、図1に示すように、インターネットを介してイベント会場側の情報端末装置（６）に送信され、該情報端末装置（６）においてＣＤ−ＲＯＭ等の情報記録媒体（５）に記録されるものとしてもよい。
【００３２】
また、前記データベースサーバ（４）は、図２に示すように、前記音声情報に悪戯や悪意あるメッセージ等の特定言語が含まれている場合に、その特定言語を排除する特定言語排除部（４５）を備えるのが好ましい。
【００３３】
第二実施例：
図４は、祝電メールシステムの流れ図である。
【００３４】
まず、携帯電話装置（２）は、インターネットを経由して動画メールを送信する（ステップ１）。つまり、携帯電話装置（２）であらかじめ撮影した動画データをメールにて所定送信する。なお、送信先のメールアドレスは、バーコード等で作成することが可能である。
【００３５】
メールサーバ（１１）は、携帯電話装置（２）が送信した動画メールを受信して、ポータルサーバ（１２）に送信する（ステップ２）。つまり、処理サーバであるポータルサーバ（１２）が届いたメールを受信し、受信したファイルを仮登録する。
【００３６】
ポータルサーバ（１２）は、受信した動画メールを確認する。この際に動画メールに動画ファイルが実際に添付されているか否か、添付されたファイルが動画ファイルか否か、チェックサムを参照して動画ファイルが再生可能か否か（壊れていないか否か）などを確認し、インターネットを経由して携帯電話装置（２）に確認メールを送信する（ステップ３）。つまり、決済を促すメールを送信者へ返送する。
【００３７】
携帯電話装置（２）は、ステップ４でインターネット及びポータルサーバ（１２）を経由して、カード決済代行業者が備える決済サーバ（１３）に接続し、決済与信確認を行う（ステップ５）。つまり、送信者がそのメールのリンクよりポータルの決済ページへ接続するとともに、決済時に決済代行サーバへ与信確認する。
【００３８】
決済サーバ（１３）は、ステップ６で与信結果をポータルサーバへ返信し、ポータルサーバ（１２）は与信確認の結果（OK,NG）を送信者へ返す。なお、ＯＫの場合は仮登録されていたファイルを正式に登録する。また、仮登録されたファイルは一定時間経過すると消去される。
【００３９】
ホテル内サーバ（１４）には、一定時間毎に動画ファイルが配信される。なお、ホテル内サーバ（１４）が、任意の時間やタイミングで動画ファイルを取得するようにしてもよい。
【００４０】
すなわち、このメールシステムは、贈り手側の携帯電話装置（２）がインターネットを介して送信したメッセージをシステムサーバであるメールサーバ（１１）やポータルサーバ（１２）が受信して保存すると共に、保存した前記メッセージを主催者側サーバであるホテル内サーバ（１４）の要求に応じて配信するメールシステムにおいて、前記メッセージを配信するための決済を行う決済サーバ（１３）と、前記決済が完了したか否かを示す決済情報を記憶する決済情報記憶手段（この場合、ポータルサーバ（１２）内のメモリ）とを具備し、前記システムサーバは、前記主催者側サーバから前記メッセージの配信要求を受け取った場合、前記メッセージの中から前記決済情報が決済完了のメッセージを選択して前記主催者側サーバに配信するのである。
【００４１】
図５は、「以心電信」システムの概要構成図である。
【００４２】
以心電信サーバ（１５）は、「以心電信」システムの基幹となるサーバであり、メッセージの登録手続き用HPと、メッセージの配布管理、メッセージデータの保存を行う。
【００４３】
携帯電話装置（２）は、そのメール機能を使用するため、容易な操作での送信が可能になる。また、QRコード（2次元バーコード）を使用するため各キャリアとも同一の操作でメッセージの送信が可能となる。QRコードでのアクセスの場合、対象の式典用ページに直接アクセス可能である。一方、QRコードを使用しない場合は、「以心電信」サービスのHPからアクセス可能となる。
【００４４】
決済サーバ（１３）は、システム仕様代金を決済するために使用されるので、決済代行サービス会社のシステムを利用することになる。
【００４５】
編集システムＰＣ（１６）は、「以心電信」サーバに送信されたメッセージを各式典毎に受信して、CD・DVD書込み装置（１７）により編集作業を行うようになっている。
【００４６】
この図に示す「以心電信」システムは携帯電話、パソコンから、動画、音声のメッセージをイベント・式典毎に送付し、DVDディスクとして提供するためのシステムであり、概要構成であり、ネットワークやセキュリティに関するシステムは、システム構成をわかりやすくするため省略している。
【００４７】
携帯電話装置（２）の場合、式典ページへのアクセス機能は、現行の機種のほとんどに搭載されており、バーコードリーダの機能（QRコード）を使用してアクセスするため、アドレスの入力操作は必要なくなる。また、QRコードに対応していない携帯電話や、パソコンからのアクセスの場合、HPから会場、日付、時間、名称等によりアクセスすることが可能となる。
【００４８】
また、編集システムでは、式典を指定してデータを一括取得することが可能である。
【００４９】
図６は、「以心電信」システムのフロー概要図である。
【００５０】
まず、お客である携帯電話装置（２）は、送信するメッセージの作成し、「以心電信」HPへアクセスすると、以心伝心サーバは該当する式典用ページを表示する。
【００５１】
携帯電話装置（２）は、メール送信画面を表示し、メッセージデータの添付・送信を行うと、以心伝心サーバ１５は受信完了の確認をする。
【００５２】
携帯電話装置（２）が決済情報の入力を行うと、決済サーバ（１３）は決済処理を行って、携帯電話装置（２）に決済完了メール送信する。そして、携帯電話装置（２）は、決済完了メールを受信して終了する。
【００５３】
また、以心伝心サーバ１５は、決済サーバ（１３）が決済処理を行うと、メッセージデータステータスを更新する。そして、編集システムＰＣ（１６）は、メッセージの受信操作をし、メッセージの編集作業により、ＤＶＤを作成する。
【００５４】
図７は、携帯画面遷移の概要図である。
【００５５】
携帯電話装置（２）は、携帯電話の機能を使用して、メッセージデータ（動画・音声）を撮影・録音し保存し、携帯電話のバーコードリーダを起動して、式典専用アドレスへ直接アクセスを行う。なお、「QRコード」の読取機能のある携帯電話を前提とする。
【００５６】
携帯電話装置（２）の表示画面には、［確認］として、京都ホテルオークラ小ホール、山田・渡辺家挙式10：00〜12：00、こちらからメール送信画面に移動し、動画または音声ファイルを添付して送信してください。（送信メールアドレスは変更しないでください。変更した場合は正常に送信できません。）メール送信後しばらくすると登録完了のメールを送信いたします。登録完了メールのリンクより決済手続きをお願いいたします。［注意事項］登録完了メール送信後24時間以内に決済手続きが行われない場合、送信していただいたデータは無効となります。無効となった場合、お手数ですがもう一度メール送信からやり直してください、と表示される。
【００５７】
そして、携帯電話装置（２）は、メール作成＜新規＞画面となり、データ転送仮登録処理が行われる。なお、メッセージをメールに添付する方法は、各キャリア、携帯電話ごとに操作方法が異なる。
【００５８】
そして、受信メール、06/05/18 18：12：00、From:entry@ishin-denshin.net、仮登録完了のご案内（以心電信）、送信いただきましたメッセージの仮登録が完了しました。本登録を行うため、以下のアドレスへ接続していただき、決済処理をお願いいたします。
Http://kessai.ishin-denshin.net/kessai-Input.php-order_id-20060518200500886698
本サービスの決済は、カード決済のみとなっております。決済処理が完了しますと確認のメールが送信され、本登録が完了します。ご不明な点がございましたら06-0000-0000（平日10：00〜17：00）までご連絡をお願いいたします、と表示される。
【００５９】
そして、以心伝心サービス決済画面が表示され、決済処理の後に、決済完了メールが送信される。なお、決済画面は、契約する代行サービス会社の書式となる。
【産業上の利用可能性】
【００６０】
本発明は、結婚式や祝賀パーティなどのイベント会場において、お祝いなどの音声メッセージを贈る場合に適用される。
【００６１】
また、本発明は、贈り手側の情報端末装置がネットワークを介して送信したメッセージをシステムサーバが受信して保存すると共に、保存した前記メッセージを主催者側サーバの要求に応じて配信するメールシステム及びメール配信方法に適用される。
【図面の簡単な説明】
【００６２】
【図１】本発明の一実施形態に係るメールシステムの構成概略図である。
【図２】図１のデータベースサーバのハードウェア構成図である。
【図３】メールシステムの動作を示すフローチャートである。
【図４】祝電メールシステムの流れ図である。
【図５】「以心電信」システムの概要構成図である。
【図６】「以心電信」システムのフロー概要図である。
【図７】携帯画面遷移の概要図である。
【符号の説明】
【００６３】
１        パソコン（又は、パーソナルコンピュータ）
２        携帯電話装置
３        サイト提供サーバ
４        データベースサーバ
５        情報記録媒体
６        会場側パソコン（又は、会場側パーソナルコンピュータ）
１１      メールサーバ
１２      ポータルサーバ
１３      決済サーバ
１４      ホテル内サーバ
１５      以心電信サーバ
１６      編集システムＰＣ
４１      通信部
４２      音声情報格納部
４３      音声情報記録部
４４      制御部
４５      特定言語排除部
【図１】
2007334546.tif 000003
【図２】
2007334546.tif 000004
【図３】
2007334546.tif 000005
【図４】
2007334546.tif 000006
【図５】
2007334546.tif 000007
【図６】
2007334546.tif 000008
【図７】
2007334546.tif 000009